(57)【要約】【課題】従来の電源制御装置では、停電復帰時のオンオフ制御スイッチの状態を規定できないので、停電復帰時の差込みプラグに接続された制御される機器に対する給電状態を規定できないという課題があった。【解決手段】停電復帰時を検出する停電復帰検出回路２７と、停電復帰時のオンオフ状態を規定する停電復帰時状態設定スイッチ２８と、前記停電復帰検出回路の出力と前記停電復帰時状態設定スイッチ２８の設定に基づいて前記オンオフ制御スイッチをオンオフ制御する停電復帰時駆動回路２９を備え、停電検出回路２７により停電復帰を検出し、停電復帰時駆動回路２９は、停電復帰状態設定スイッチ２８の設定に基づいてオンオフ制御スイッチ２３を制御することにより、停電復帰時の前記差込みプラグ２２の給電状態を前記停電復帰時状態設定スイッチ２８により規定することができる。【選択図】図２
2005223800.tif 000002
【特許請求の範囲】
【請求項１】
商用交流電源が供給される差込みコンセントとオンオフ制御を制御する機器を接続する差込みプラグとの間に設けられて前記差込みコンセントと前記差込みプラグとの電気的接続をオンオフ制御するオンオフ制御スイッチと、前記オンオフ制御スイッチ駆動用の情報と自己が指定された否かを識別するための識別情報を持った無線信号を受信する受信装置と、前記受信装置の受信出力に基づいて自己が指定されたか否かを認識する認識手段と、前記認識手段の認識結果に基づいて前記オンオフ制御スイッチをオンオフ制御する駆動回路と、停電復帰時を検出する停電復帰検出回路と、停電復帰時のオンオフ状態を規定する停電復帰時状態スイッチと、前記停電復帰検出回路の出力と前記停電復帰時状態スイッチの設定に基づいて前記オンオフ制御スイッチをオンオフ制御する停電復帰時駆動回路を備えていることを特徴とする電源制御装置。
【請求項２】
停電復帰時駆動回路に停電復帰後に一定時間の遅延回路を設けた請求項１に記載の電源制御装置。
【請求項３】
遅延回路に、機器ごとに異なった遅延時間を設定することが可能な遅延時間設定手段を設けた請求項２に記載の電源制御装置。
【請求項４】
停電復帰時駆動回路に、遅延時間ランダム発生回路を設けた請求項１に記載の電源制御装置。
【請求項５】
停電復帰検出回路により制御される停電復帰検出報知手段を設けた請求項１に記載の電源制御装置。
【発明の詳細な説明】
【技術分野】
【０００１】
本発明は商用交流電源が供給される差込みコンセントと、制御する機器を接続する差込みプラグとの間に設けられて電気的接続を制御する電源制御装置に関するものである。
【背景技術】
【０００２】
従来、この種の電源制御装置としては、例えば停電復帰時の状態を規定していないものがあった（特許文献１参照）。
【０００３】
図７は、特許文献１に記載された従来の電源制御装置を示すものである。図７に示すように、商用交流電源が供給される差込みコンセント２１と、制御する機器を接続する差込みプラグ２２と、差込みコンセント２１と差込みプラグ２２とのの間に設けられて電気的接続をオンオフ制御するオンオフ制御スイッチ２３と、オンオフ制御スイッチ駆動用の情報と自己が指定された否かを識別するための識別情報を持った無線電波を受信する受信装置２４と、受信装置２４の受信出力に基づいて自己が指定されたか否かを認識する認識回路２５と、認識回路２５の認識結果に基づいてオンオフ制御スイッチ２３をオンオフ制御するリレー駆動回路２６から構成されている。
【０００４】
これによって、送受信装置２４で受信した制御信号の識別情報をＩＤ認識装置２５で認識し、自分宛の制御信号であればリレー駆動回路２６を制御してオンオフ制御スイッチ２３を制御するものである。
【特許文献１】特開平６−２３７４９０号公報
【発明の開示】
【発明が解決しようとする課題】
【０００５】
しかしながら、前記従来の構成では、停電復帰時のオンオフ制御スイッチの状態を規定できないので、停電復帰時の差込みプラグに接続された制御される機器に対する給電状態を規定できず、停電復帰時の誤動作や電源突入電流の集中によるブレーカーの動作などという課題があった。
【０００６】
本発明は、上記従来の課題を解決するもので、停電復帰時に差込みプラグに接続された制御される機器の給電状態を規定できる電源制御装置を提供することを目的とする。
【課題を解決するための手段】
【０００７】
前記従来の課題を解決するために、本発明の電源制御装置は、商用交流電源が供給される差込みコンセントとオンオフ制御を制御される機器を接続する差込みプラグとの間に設けられて差込みコンセントと差込みプラグとの電気的接続をオンオフ制御するオンオフ制御スイッチと、前記オンオフ制御スイッチ駆動用の情報と自己が指定された否かを識別するための識別情報を持った無線信号を受信する受信装置と、前記受信装置の受信出力に基づいて自己が指定されたか否かを認識する認識手段と、前記認識手段の認識結果に基づいて前記オンオフ制御スイッチをオンオフ制御する駆動回路と、停電復帰時を検出する停電復帰検出回路と、停電復帰時のオンオフ状態を規定する停電復帰時状態設定スイッチと、前記停電復帰検出回路の出力と前記停電復帰時状態設定スイッチの設定に基づいて前記オンオフ制御スイッチをオンオフ制御する停電復帰時駆動回路を備えていることを特徴とする電源制御装置である。これにより、停電復帰時の差込みプラグの給電状態を停電復帰時状態設定スイッチにより規定することを目的とする。
【発明の効果】
【０００８】
本発明の電源制御装置は、停電復帰時のオンオフ制御スイッチの状態を規定し、差込みプラグに接続された制御される機器に停電復帰時に規定された給電状態を提供することができる。
【発明を実施するための最良の形態】
【０００９】
第１の発明は、商用交流電源が供給される差込みコンセントとオンオフ制御を制御される機器を接続する差込みプラグとの間に設けられて差込みコンセントと差込みプラグとの電気的接続をオンオフ制御するオンオフ制御スイッチと、前記オンオフ制御スイッチ駆動用の情報と自己が指定された否かを識別するための識別情報を持った無線信号を受信する受信装置と、前記受信装置の受信出力に基づいて自己が指定されたか否かを認識する認識手段と、前記認識手段の認識結果に基づいて前記オンオフ制御スイッチをオンオフ制御する駆動回路と、停電復帰時を検出する停電復帰検出回路と、停電復帰時のオンオフ状態を規定する停電復帰時状態設定スイッチと、前記停電復帰検出回路の出力と前記停電復帰時状態設定スイッチの設定に基づいて前記オンオフ制御スイッチをオンオフ制御する停電復帰時駆動回路を備えていることを特徴とする電源制御装置である。これにより、停電復帰時の差込みプラグの給電状態を停電復帰時状態設定スイッチにより規定することができる。
【００１０】
第２の発明は、特に第1の発明の停電復帰時駆動回路に停電復帰後に一定時間の遅延回路を設けたものである。これにより電源復帰時に電源オンする機器が集中することにより発生する商用交流電源の一時的な電圧降下を防ぐことができる。
【００１１】
第３の発明は、特に第２の発明の遅延回路に、装置ごとに異なった遅延時間を設定することが可能な遅延時間設定手段を設けたものである。これにより本発明の装置を複数台使用した場合に、電源復帰時に電源オンする機器が集中することにより発生する商用交流電源の一時的な電圧降下を防ぐことができる。
【００１２】
第４の発明は、特に第１の発明に遅延回路と遅延時間ランダム発生回路を設けたものである。これにより本発明の装置を複数台使用した場合に、電源復帰時に電源オンする機器が集中することにより発生する商用交流電源の一時的な電圧降下を防ぐことができる。
【００１３】
第５の発明は、前記停電復帰検出回路により制御される停電復帰検出表示器を設けたものである。これにより停電の有無を表示することができる。
【００１４】
以下、本発明の実施の形態について、図面を参照しながら説明する。なお、この実施の形態によって本発明が限定されるものではない。
【００１５】
（実施の形態１）
図１は本発明の第１の実施の形態における電源制御装置の斜視図、図２はブロック図を示すものである。
【００１６】
図１において本体１５は、商用電源に接続される商用電源接続部１１と被制御機器に接続される制御機器接続部１２と無線信号を送受信するための空中線１３と停電復帰時の状態を設定するための停電復帰時状態設定スイッチ１４とで構成される。
【００１７】
図２において、商用交流電源が供給される差込みコンセント２１とオンオフ制御を制御される機器を接続する差込みプラグ２２との間に設けられて、差込みコンセント２１と差込みプラグ２２との電気的接続をオンオフ制御するオンオフ制御スイッチ２３と、前記オンオフ制御スイッチ駆動用の情報と自己が指定された否かを識別するための識別情報を持った無線信号を送受信する送受信装置２４と、前記送受信装置２４の受信出力に基づいて自己が指定されたか否かを認識するＩＤ認識装置（認識手段）２５と、前記ＩＤ認識装置２５の認識結果に基づいて前記オンオフ制御スイッチ２３をオンオフ制御するリレー駆動回路２６と、停電復帰時を検出する停電復帰検出回路２７と、停電復帰時のオンオフの動作状態を規定する停電復帰時状態設定スイッチ２８と、前記停電復帰検出回路の出力と前記停電復帰時状態設定スイッチ２８の設定に基づいて前記オンオフ制御スイッチをオンオフ制御する停電復帰時駆動回路２９とで構成されている。
【００１８】
以上のように構成された電源制御装置において、以下その動作、作用を説明する。
【００１９】
まず停電検出回路２７により差込みコンセント２１の給電状態を監視し、停電により一旦無給電になり再度商用電源が給電された事を検出する事により停電復帰を検出し、停電復帰時駆動回路２９に入力される。停電復帰時駆動回路２９は、停電復帰状態設定スイッチ２８の設定に基づいて停電により無給電となっている差込みプラグ２２に給電するか、無給電のままとするかをオンオフ制御スイッチ２３に指示し差込みプラグ２２の給電状態を制御する。
【００２０】
オンオフ制御スイッチ２３は両切りスイッチとしているが片切りスイッチとしてもよい。停電復帰時状態設定スイッチ２８は外部から容易に設定できても良いしカバーなどを設けても良い。
【００２１】
（実施の形態２）
図３は、本発明の第２の実施の形態における電源制御装置のブロック図である。
【００２２】
図３は図２に遅延回路３１を加えたものである。図２と同じ番号は同じものを指すので説明は省く。
【００２３】
停電復帰検出回路２７の出力を遅延させる遅延回路３１と、遅延回路の出力と停電復帰時状態設定スイッチ２８の設定に基づいてオンオフ制御スイッチをオンオフ制御する停電復帰時駆動回路２９とで構成されている。
【００２４】
以上のように構成された電源制御装置において、以下その動作、作用を説明する。
【００２５】
まず停電検出回路２７により差込みコンセント２１の給電状態を監視し、停電により一旦無給電になり再度商用電源が給電された事を検出する事により停電復帰を検出し、ＣＲの充放電又は電子タイマー、もしくはその併用により一定時間信号を遅延させる遅延回路３１により遅延された後に、停電復帰時駆動回路２９に入力される。停電復帰時駆動回路２９は、停電復帰状態設定スイッチ２８の設定に基づいて停電により無給電となっている差込みプラグ２２に給電するか、無給電のままとするかをオンオフ制御スイッチ２３に指示し差込みプラグ２２の給電状態を制御する。
【００２６】
遅延回路３１による遅延時間は予め設定された固定値であり、例えば１秒としても良い。
【００２７】
（実施の形態３）
図４は、本発明の第３の実施の形態における電源制御装置のブロック図である。
【００２８】
図４は図３に遅延時間設定スイッチ（遅延時間設定手段）４１を加えたものである。図２、３と同じ番号は同じものを指すので説明は省く。
【００２９】
停電復帰検出回路２７の出力を遅延時間を規定する遅延時間設定スイッチ４１の設定に従って遅延させる遅延回路３１と、遅延回路の出力と停電復帰時状態設定スイッチ２８の設定に基づいてオンオフ制御スイッチをオンオフ制御する停電復帰時駆動回路２９とで構成されている。
【００３０】
以上のように構成された電源制御装置において、以下その動作、作用を説明する。
【００３１】
まず停電検出回路２７により差込みコンセント２１の給電状態を監視し、停電により一旦無給電になり再度商用電源が給電された事を検出する事により停電復帰を検出し、遅延時間設定スイッチ４１の設定に従って遅延回路３１により遅延された後に、停電復帰時駆動回路２９に入力される。停電復帰時駆動回路２９は、停電復帰状態設定スイッチ２８の設定に基づいて停電により無給電となっている差込みプラグ２２に給電するか、無給電のままとするかをオンオフ制御スイッチ２３に指示し差込みプラグ２２の給電状態を制御する。
【００３２】
ＣＲの充放電又は電子タイマー、もしくはその併用により一定時間信号を遅延させる遅延回路３１の遅延時間を規定する遅延時間設定スイッチ４１の設定時間は０.５秒、１秒、１.５秒のように複数の値を設定できる。遅延時間設定スイッチ４１は外部から容易に設定できても良いしカバーなどを設けても良い。
【００３３】
（実施の形態４）
図５は、本発明の第４の実施の形態における電源制御装置のブロック図である。
【００３４】
図５は図４に遅延時間ランダム発生回路（遅延時間設定手段）５１を加えたものである。図２、３、４と同じ番号は同じものを指すので説明は省く。
【００３５】
停電復帰検出回路２７の出力を遅延時間を規定する遅延時間ランダム発生回路５１の出力に従って遅延させる遅延回路３１と、遅延回路の出力と停電復帰時状態設定スイッチ２８の設定に基づいてオンオフ制御スイッチをオンオフ制御する停電復帰時駆動回路２９とで構成されている。
【００３６】
以上のように構成された電源制御装置において、以下その動作、作用を説明する。
【００３７】
まず停電検出回路２７により差込みコンセント２１の給電状態を監視し、停電により一旦無給電になり再度商用電源が給電された事を検出する事により停電復帰を検出し、遅延時間ランダム発生回路５１の出力に従って遅延回路３１により遅延された後に、停電復帰時駆動回路２９に入力される。停電復帰時駆動回路２９は、停電復帰状態設定スイッチ２８の設定に基づいて停電により無給電となっている差込みプラグ２２に給電するか、無給電のままとするかをオンオフ制御スイッチ２３に指示し差込みプラグ２２の給電状態を制御する。
【００３８】
遅延回路３１の遅延時間を規定する遅延時間ランダム発生回路５１は乱数発生回路と電子タイマーを併用することにより、例えば下限０.５秒、上限５秒の範囲でランダムな時間を発生する。下限時間、上限時間、時間間隔などは任意の値で構わない。
【００３９】
（実施の形態５）
図６は、本発明の第５の実施の形態における電源制御装置のブロック図である。
【００４０】
図６は図２に停電復帰検出表示器（停電復帰検出報知手段）６１を加えたものである。図２と同じ番号は同じものを指すので説明は省く。
【００４１】
停電復帰検出回路２７の出力と停電復帰時状態設定スイッチ２８の設定に基づいて前記オンオフ制御スイッチをオンオフ制御する停電復帰時駆動回路２９と、停電復帰検出回路で制御される停電復帰検出表示器６１で構成されている。
【００４２】
以上のように構成された電源制御装置において、以下その動作、作用を説明する。
【００４３】
まず停電検出回路２７により差込みコンセント２１の給電状態を監視し、停電により一旦無給電になり再度商用電源が給電された事を検出する事により停電復帰を検出し、停電復帰時駆動回路２９に入力されると共に停電復帰検出表示器６１に入力される。停電復帰時駆動回路２９は、停電復帰状態設定スイッチ２８の設定に基づいて停電により無給電となっている差込みプラグ２２に給電するか、無給電のままとするかをオンオフ制御スイッチ２３に指示し差込みプラグ２２の給電状態を制御する。停電復帰検出表示器６１は停電復帰状態を表示する。
【００４４】
停電復帰検出表示器６１は停電検出後、表示を継続させても良いし、解除スイッチなどを設けて表示を止めても良い。
【００４５】
また停電復帰検出表示器６１により停電復帰を報知し、手動による停電復帰時駆動回路の操作を促すこともできる。
【００４６】
なお、本実施の形態では無線通信で説明したが有線通信であってもよい。また本実施の形態で説明した停電復帰検出回路や停電復帰時駆動回路、遅延回路、遅延時間設定手段、停電復帰検出報知手段などはマイコンやそのプログラムで実現しても良い。
【産業上の利用可能性】
【００４７】
以上のように、本発明における電源制御装置は、停電復帰時に予め規定された給電状態を提供することが可能となるので、家電製品などの用途にも適用できる。
【図面の簡単な説明】
【００４８】
【図１】本発明の実施の形態１の斜視図
【図２】本発明の実施の形態１のブロック図
【図３】本発明の実施の形態２のブロック図
【図４】本発明の実施の形態３のブロック図
【図５】本発明の実施の形態４のブロック図
【図６】本発明の実施の形態５のブロック図
【図７】従来の電源制御装置のブロック図
【符号の説明】
【００４９】
１１  商用電源接続部
１２  制御機器接続部
１３  空中線
１４  停電復帰時状態設定スイッチ
１５  本体
２１  商用電源差込みコンセント
２２  差込みプラグ
２３  オンオフ制御スイッチ
２４  送受信装置（受信装置）
２５  ID認識装置（認識手段）
２６  リレー駆動回路（駆動回路）
２７  停電復帰検出回路
２８  停電復帰状態設定スイッチ（停電復帰時状態スイッチ）
２９  停電復帰時駆動回路
３１  遅延回路
４１  遅延時間設定スイッチ（遅延時間設定手段）
５１  遅延時間ランダム発生回路（遅延時間設定手段）
６１  停電復帰検出表示器（停電復帰検出報知手段）
【図１】
2005223800.tif 000003
【図２】
2005223800.tif 000004
【図３】
2005223800.tif 000005
【図４】
2005223800.tif 000006
【図５】
2005223800.tif 000007
【図６】
2005223800.tif 000008
【図７】
2005223800.tif 000009